(57)【要約】      （修正有）【課題】ゴムシール部材の端部を簡単容易にかつ確実に締め付けて高い防水防塵効果が期待できながらコスト安価なガイドパイプ組品を提供する。【解決手段】ガイドパイプ組品において、ゴムシール部材４のガイドパイプ３側一端部の外周にコイルばね６を嵌め込み、このコイルばね６でゴムシール部材４の一端部をガイドパイプ３の外周に締め付けて、ゴムシール部材４による高い防水兼防塵作用が得られるように構成した。従来の締付用金型に必要な大掛かりで高価なプレス機を不要にできる。【選択図】図１
0003194246.tif 000002
【実用新案登録請求の範囲】
【請求項１】
支持部材に支持される筒状のケーシングキャップと、ケーシングキャップのキャップ部内に後端部分が挿嵌されかつキャップ部の円周カシメによりカシメ止めされるガイドパイプと、ガイドパイプとケーシングキャップとのカシメ部分周囲に被着される防水兼防塵用のゴムシール部材を備えたガイドパイプ組品において、上記ゴムシール部材のガイドパイプ側一端部の外周にコイルばねを嵌め込み、このコイルばねでゴムシール部材の一端部をガイドパイプの外周に締め付けて、ゴムシール部材による高い防水兼防塵作用が得られるように構成したことを特徴とするガイドパイプ組品。
【請求項２】
ゴムシール部材のキャップ部側他端部の外周にコイルばねを嵌め込み、このコイルばねでゴムシール部材の他端部をキャップ部側の外周に締め付けて、ゴムシール部材の両端部において高い防水兼防塵作用が得られるように構成したことを特徴とする請求項１記載のガイドパイプ組品。
【考案の詳細な説明】
【技術分野】
【０００１】  本考案は、主として自動車部品として用いられる、操作用ワイヤーなどのガイドパイプ組品に関するものである。
【背景技術】
【０００２】  従来、この種のガイドパイプ組品は、図３に示すように例えばミッションケースなどの支持部材（図示せず）に長さ方向中間部が支持される筒状のケーシングキャップ１２と、ケーシングキャップ１２のキャップ部１２ａ内に後端部分が挿嵌されかつキャップ部１２ａの円周カシメによりカシメ止めされるガイドパイプ１３と、ガイドパイプ１３とケーシングキャップ１２とのカシメ部分周囲に被着される防水兼防塵用のゴムシール部材１４とを備えている。
なお、図３に示す従来例では、ゴムシール部材１４のキャップ部側端部が、上記ケーシングキャップ１２と別体のソケット１５により挟み付けられて挟持される構成となっている。【０００３】  そして、上記ゴムシール部材１４による防水兼防塵効果を高める構造として、ゴムシール部材１４をカシメ部分周囲に被着させるだけでなく、積極的にゴムシール部材１４のガイドパイプ側端部の外周に金属製のカシメリング１６を差込み、このカシメリング１６をプレス機の金型で例えば正六角形状に叩いてこのカシメリング１６によりゴムシール部材１４のガイドパイプ側を、ガイドパイプ１３の外周に締め付け、これによりゴムシール部材１４による防水兼防塵効果をさらに高めるようにしている。
【考案の概要】
【考案が解決しようとする課題】
【０００４】  ところで、上記したように金属製のカシメリング１６を用いてゴムシール部材１４の一端をガイドパイプ１３の外周に締め付けるようにした場合、防水兼防塵効果は向上できる反面、高価な締付用金型をもつ大掛かりなプレス機が特別に必要となり、また、そのカシメ作業が非常に複雑で手間を要するといった問題を有していた。【０００５】  そこで本考案は、上記した問題を解決するため、金属製カシメリングに代えてコイルばねを用い、このコイルばねにより簡単容易にゴムシール部材の一端又は両端部をガイドパイプの外周部やキャップ部側の外周部に確実に締め付け固定できるようにして、ガイドパイプ組品をコスト安価に提供し得ることを課題とする。
【課題を解決するための手段】
【０００６】  上記した問題を解決するため、本願の請求項１記載の考案は、支持部材に支持される筒状のケーシングキャップと、ケーシングキャップのキャップ部内に後端部分が挿嵌されかつキャップ部の円周カシメによりカシメ止めされるガイドパイプと、ガイドパイプとケーシングキャップとのカシメ部分周囲に被着される防水兼防塵用のゴムシール部材を備えたガイドパイプ組品において、上記ゴムシール部材のガイドパイプ側一端部の外周にコイルばねを嵌め込み、このコイルばねでゴムシール部材の一端部をガイドパイプの外周に締め付けて、ゴムシール部材による高い防水兼防塵作用が得られるように構成したことを特徴とする。【０００７】  本願の請求項２記載の考案は、請求項１記載の構成に加えて、ゴムシール部材のキャップ部側他端部の外周にコイルばねを嵌め込み、このコイルばねでゴムシール部材の他端部をキャップ部側の外周に締め付けて、ゴムシール部材の両端部において高い防水兼防塵作用が得られるように構成したことを特徴とする。
【考案の効果】
【０００８】  以上のように構成した本考案の請求項１記載のガイドパイプ組品によれば、ゴムシール部材による防水兼防塵効果を高める構造として、従来の金属製カシメリングに代え例えば二巻き程度のコイルばねを用いるようにしたから、このコイルばねをゴムシール部材の一端部外周に拡径状態で嵌め込むだけの簡単な作業により、ゴムシール部材の一端部をガイドパイプの外周部に迅速容易にかつ確実に締め付けて固定できる。したがって、従来の締付用金型をもつ大掛かりで高価なプレス機を不要にでき、しかも上記作業が楽で全体としてコスト安価にガイドパイプ組品を得ることができる。【０００９】  また、本考案の請求項２記載のガイドパイプ組品によれば、上述したコイルばねでゴムシール部材の一端部をガイドパイプの外周部に締め付け固定する場合と同様に、コイルばねでゴムシール部材の他端部についてもキャップ部側の外周部に迅速容易にかつ確実に締め付けて固定できる。したがって、ゴムシール部材の両端部二ヶ所をコイルばねで簡単容易にかつ確実に締め付けて固定することができ、その結果、従来の締付用金型をもつ大掛かりで高価なプレス機を不要にでき、しかも上記作業が楽で全体としてコスト安価にガイドパイプ組品を得ることができる。
【図面の簡単な説明】
【００１０】
【図１】本考案に係るガイドパイプ組品の一部切欠正面図である。
【図２】本考案に係る別のガイドパイプ組品の一部切欠正面図である。
【図３】従来の説明図である。
【考案を実施するための形態】
【００１１】  以下本考案の実施例を図に基づいて説明する。
【００１２】  まず、図１に示すように、この実施例におけるガイドパイプ組品１は、例えば自動車におけるミッションケースなどの支持部材（図示せず）に後述するソケットを介して支持される筒状のケーシングキャップ２と、ケーシングキャップ２のキャップ部２ａ内に後端部分が挿嵌されかつキャップ部２ａの円周カシメによりカシメ止めされるガイドパイプ３と、ガイドパイプ３とケーシングキャップ２とのカシメ部分周囲に被着される防水兼防塵用のゴムシール部材４と、ゴムシール部材４のケーシングキャップ３側をケーシングキャップに一体的に固定するソケット５を備えている。
【００１３】  ケーシングキャップ２の長さ方向中間部には、係合突部２ｂが形成されていると共に、この係合突部２ｂを覆うようにゴムシール部材４が被着される。また、ケーシングキャップ２のキャップ部２ａ内にガイドパイプ３の先端を嵌め込んで円周カシメしたとき、ガイドパイプ３はケーシングキャップ２対してセンターより８度程度上下全周に揺動可能に支持される。
【００１４】  一方、ソケット５は一端外周部に支持部材への取付溝５ａを有し、他端が大径で開口している。このソケット５の取付けは、先ずゴムシール部材４のキャップ側部分外周に外嵌され、次に大径開口端部が内方にロールカシメされてこのソケット５によりゴムシール部材４のキャップ側部分とケーシングキャップ２とが一体的に固定される。
【００１５】  そして、本考案は以上のように構成されるガイドパイプ組品１において、上記ゴムシール部材４のガイドパイプ側一端部の外周に二巻き又は二巻き程度のコイルばね６を嵌め込み、このコイルばね６でゴムシール部材４の一端部をガイドパイプ３の外周に締め付けて、ゴムシール部材４による高い防水兼防塵作用を得るように構成したのである。
【００１６】  以上のように構成したガイドパイプ組品１によれば、ゴムシール部材４による防水兼防塵効果を高める構造として、従来の金属製カシメリングに代え例えば二巻き又は二巻き程度のコイルばね６を用いているから、このコイルばね６をゴムシール部材４の一端部外周に拡径状態で嵌め込み縮径させるだけの簡単な作業により、ゴムシール部材４の一端部をガイドパイプ３の外周部に迅速容易にかつ確実に締め付けて固定できる。したがって、従来の締付用金型をもつ大掛かりで高価なプレス機を不要にでき、しかも上記作業が楽で全体としてコスト安価にガイドガイドパイプ組品１を得ることができる。
【００１７】  上記した実施例では、ゴムシール部材４のガイドパイプ側一端部の外周にのみ二巻き又は二巻き程度のコイルばね６を嵌め込み、このコイルばね６でゴムシール部材４の一端部をガイドパイプ３の外周に締め付けて固定するようにしたものについて説明したけれども、ゴムシール部材４の両端部二ヶ所をコイルばね６，６ａで締め付けて固定するようにしてもよい。
【００１８】  つまり、図２に示すように筒状のケーシングキャップ２にソケット部２ｃが一体又は一体的に形成され、ガイドパイプ３とケーシングキャップ２とのカシメ部分周囲に防水兼防塵用のゴムシール部材ゴムシール部材４が被着されたタイプのものにおいて、ゴムシール部材４のガイドパイプ側一端部の外周に二巻き又は二巻き程度のコイルばね６を拡径させて嵌め込み、このコイルばね６の縮径でゴムシール部材４の一端部をガイドパイプ３の外周に締め付ける一方、ゴムシール部材４のキャップ部４ａ側他端部の外周にコイルばね６ａを拡径させて嵌め込み、このコイルばね６ａの縮径でゴムシール部材４の他端部をキャップ部側の外周に締め付けるようにしたものである。
【００１９】  このように構成したガイドパイプ組品によれば、前述したコイルばね６でゴムシール部材４の一端部をガイドパイプ３の外周部に締め付け固定する場合と同様に、コイルばね６ａでゴムシール部材４の他端部についてもキャップ部側の外周部に迅速容易にかつ確実に締め付けて固定できる。したがって、ゴムシール部材４の両端部二ヶ所をコイルばね６，６ａで簡単容易にかつ確実に締め付けて固定することができ、その結果、従来の締付用金型をもつ大掛かりで高価なプレス機を不要にでき、しかも上記作業が楽で全体としてコスト安価にガイドパイプ組品１を得ることができる。
【００２０】  なお、コイルばね６の巻き数については特に限定されるものではないが、二巻き又は二巻き程度が嵌め込み作業を行う場合に楽であり、それでいて充分な締め付け効果が得られるのでこのましい。
また、上記した実施例では自動車部品の操作ワイヤー用のガイドパイプ組品について説明したけれども、特に自動車部品に限定されるものではない。
【符号の説明】
【００２１】  １          ガイドパイプ組品
２          ケーシングキャップ
２ａ        キャップ部
３          ガイドパイプ
４          ゴムシール部材
５          ソケット
６          コイルばね
６ａ        コイルばね
【図１】
0003194246.tif 000003
【図２】
0003194246.tif 000004
【図３】
0003194246.tif 000005